(57)【要約】      （修正有）【課題】ティッシュボックス本体を覆い隠して装飾性を向上するとともに、衛生状態および美観を永く保つことのできるティッシュボックス装丁具を提供する。【解決手段】展開状態において長方形の一葉のシート材の長辺の中央部両側端部に可撓性ウイング片を設け、短辺の両側端部の２箇所にティッシュボックスのティッシュペーパー取出口の幅より大きい間隔で係止具を設ける。可撓性ウイング片間にティッシュボックスの短辺を配置することにより、ティッシュボックスの縦方向が弾性支持され、配置されたティッシュボックスの縦方向の両側のシート材を立ち上げてその両側端部を係止具で係合することにより、ティッシュボックスを囲繞するシート材の側部が外方へ突出する湾曲面を呈するとともに、両側端部にティッシュペーパーの取出スリーブが形成される。【選択図】図８
0003172058.tif 000002
【実用新案登録請求の範囲】
【請求項１】
展開状態において長方形状の一葉のシート材であって、該シート材の長辺の中央部両側端部に可撓性ウイング片を設ける一方、短辺の両側端部の２箇所にティッシュボックスのティッシュペーパー取出口の幅より大きい間隔で係止具を設けてなり、
前記可撓性ウイング片間にティッシュボックスの短辺を配置することにより、該ティッシュボックスの縦方向が弾性支持され、配置された前記ティッシュボックスの縦方向の両側のシート材を立ち上げてその両側端部を前記係止具で係合することにより、前記ティッシュボックスを囲繞する前記シート材の側部が外方へ突出する湾曲面を呈するとともに、前記両側端部にティッシュペーパーの取出スリーブが形成されるようにしたことを特徴とするティッシュボックス装丁具。
【請求項２】
前記ティッシュボックスの縦方向の下端の偶角部に対応する前記シート材の位置に折曲案内溝を形成したことを特徴とする請求項１に記載のティッシュボックス装丁具。
【請求項３】
前記可撓性ウイング片が前記シート材に接着または縫着されていることを特徴とする請求項１に記載のティッシュボックス装丁具。
【請求項４】
前記可撓性ウイング片が前記シート材に切り抜き造形して一体に形成されていることを特徴とする請求項１に記載のティッシュボックス装丁具。
【請求項５】
前記可撓性ウイング片が物品を形取る外形に形成されていることを特徴とする請求項３または請求項４に記載のティッシュボックス装丁具。
【請求項６】
前記シート材のティッシュボックスの底面の長手方向の両端部に対向する位置に、前記ティッシュボックスを底上げするための支脚片を切り抜き造形して一体に形成されていることを特徴とする請求項１に記載ティッシュボックス装丁具。
【考案の詳細な説明】
【技術分野】
【０００１】
本考案は、ティッシュボックスからのティッシュペーパー抜取機能を維持しつつ、ティッシュボックスが剥き出し状態とならないようして装飾機能を兼備したティッシュボックス装丁具に関するものである。
【背景技術】
【０００２】
ティッシュペーパーを積層して収容したティッシュボックスは、汚損、防湿などへの配慮を要することから、ティッシュボックス本体を収容するカバー状のものが多く提案されている（例えば、特許文献１，２，３参照）。
【０００３】
一般にカバー状に構成されるものは、ティッシュボックス本体の外形に倣う形態で、布製あるいは合成樹脂のものが多く市販されている。しかしながら、かかる形態のカバーは、ティッシュボックス本体の角形のイメージを完全に払拭することができず、装飾性に限度のあるものであった。
【先行技術文献】
【特許文献】
【０００４】
【特許文献１】実開平５−１８３９４号公報
【特許文献２】実開平７−２２９８９号公報
【特許文献３】実用新案登録第３１３５８８５号公報
【考案の概要】
【考案が解決しようとする課題】
【０００５】
本来商業施設、ホテルの客室あるいはティッシュボックスの配置を必要とする飲食店においては、ティッシュボックスを剥き出しにしておくことは、他のディスプレイなどとの調和を配慮すると好ましくなく、これにカバーを用いた場合は、これ自体の汚損により衛生的イメージが損なわれるという、相反する問題が生じることになる。かかる問題は一般家庭においても同様であって、ティッシュボックスの機能本位の無機質なイメージを完全に払拭できる装飾的にも優れたティッシュボックス装丁具が要望されるに至った。
【課題を解決するための手段】
【０００６】
そこで本考案は、以下に述べる手段により上記課題を解決するようにした。即ち、請求項１記載の考案では、展開状態において長方形状の一葉のシート材であって、該シート材の長辺の中央部両側端部に可撓性ウイング片を設ける一方、短辺の両側端部の２箇所にティッシュボックスのティッシュペーパー取出口の幅より大きい間隔で係止具を設けてなり、前記可撓性ウイング片間にティッシュボックスの短辺を配置することにより、該ティッシュボックスの縦方向が弾性支持され、配置された前記ティッシュボックスの縦方向の両側のシート材を立ち上げてその両側端部を前記係止具で係合することにより、前記ティッシュボックスを囲繞する前記シート材の側部が外方へ突出する湾曲面を呈するとともに、前記両側端部にティッシュペーパーの取出スリーブが形成されるようにしたティッシュボックス装丁具となるようにする。
【０００７】
請求項２に記載の考案では、上記請求項１に記載のティッシュボックス装丁具において、前記ティッシュボックスの縦方向の下端の偶各部に対応する前記シート材の位置に折曲案内溝を形成する。
【０００８】
請求項３に記載の考案では、上記請求項１に記載のティッシュボックス装丁具において、前記可撓性ウイング片が前記シート材に接着または縫着されているようにする。
【０００９】
請求項４に記載の考案では、上記請求項１に記載のティッシュボックス装丁具において、前記可撓性ウイング片が前記シート材に切り抜き造形して一体に形成されているようにする。
【００１０】
請求項５に記載の考案では、上記請求項３または請求項４に記載のティッシュボックス装丁具において、前記可撓性ウイング片が物品を形取る外形に形成されているようにする。
【００１１】
請求項６に記載の考案では、上記請求項１に記載のティッシュボックス装丁具において、前記シート材のティッシュボックスの底面の長手方向の両端部に対向する位置に、前記ティッシュボックスを底上げするための支脚片を切り抜き造形して一体に形成されているようにする。
【考案の効果】
【００１２】
本考案のティッシュボックス装丁具によれば、ティッシュボックス本体がシート材による湾曲面で囲繞される状態となるので、この湾曲面の造形が主体となることから無機質なティッシュボックスの外観を覆い隠すことができる。また、ティッシュボックスの着脱も容易であり、主体となるシート材が一葉であることから、清掃を容易に行うことができ、衛生状態および美観を永く保つことができる。
【００１３】
さらに、シート材は素材の限定を受けることはないが、天然木シートを採用した場合、高級感のあるディスプレイ効果を得ることができる。しかも、シート材である利点により、表面に模様、テキストの印刷を容易に行うことができことから宣伝効果が得られるようにした商業的利用も可能となる。また、本考案ではシート材を主体に構成してあることからティッシュボックスの外形に倣う固定的な形状とならず、展開して複数枚を積層したり、折り畳んでおくことができることから、保管などにおいて融通性の高いものとなる。
【図面の簡単な説明】
【００１４】
【図１】本考案のティッシュボックス装丁具の展開表面図である。
【図２】本考案のティッシュボックス装丁具の展開裏面図である。
【図３】本考案のティッシュボックス装丁具の展開側面図である
【図４】本考案のティッシュボックス装丁具の展開裏面図である。
【図５】本考案のティッシュボックス装丁具の機能の説明図である。
【図６】本考案のティッシュボックス装丁具の使用状態の説明図である。
【図７】本考案のティッシュボックス装丁具の要部の説明図である。
【図８】本考案のティッシュボックス装丁具の使用状態の斜視図である。
【図９】本考案のティッシュボックス装丁具の収容状態の側面図である。
【図１０】本考案のティッシュボックス装丁具の収容状態の側面図である。
【図１１】本考案のティッシュボックス装丁具の他の例を示す斜視図である。
【図１２】本考案のティッシュボックス装丁具の他の例を示す斜視図である。
【図１３】本校案のティッシュボックス装丁具の更に他の例を示す斜視図である。
【図１４】本考案のティッシュボックス装丁具の改良を加えた状態を示す図である。
【図１５】図１４のティッシュボックス装丁具の使用状態を示す斜視図である。
【考案を実施するための形態】
【００１５】
本考案の実施の形態を図に基づいて以下に説明する。図１は本考案のティッシュボックス装丁具１の展開状態の表面図であり、図２はその裏面図、図３はその側面図を示す。同各図において、符号２は主体となるシート材であり、一葉の長方形状であって可撓性を有するものであればよく、紙素材、合成樹脂素材あるいは天然木素材などが代表例なるが、これらの素材に限定されることはない。なお、天然木素材を採用する場合は、中心に紙製芯材を介在させた積層構造が望ましい。
【００１６】
前記シート材２の長辺２ａ、２ｂの中央部両側端部には、可撓性ウイング片３ａ，３ｂが下端部において接着あるいは縫着されている。なお、前記可撓性ウイング片３ａ、３ｂは図４に示すように、その外形を切り抜き造形し、シート材２と一体になった基部に破線で示す折曲案内溝３ｃ，３ｄを形成するようにしてもよい。一方、短辺２ｃ，２ｄの両側端部の２箇所に、ティッシュボックスのティッシュペーパー取出口より大きい間隔で雄雌結合する係止具（本実施例の場合はスナップファスナー）４ａ、４ｂ、４ｃ、４ｄが配設されている。なお、前記係止具４ａ、４ｂ、４ｃ、４ｄのシート材２の表面への露呈を避ける場合は、面ファスナーを代替えに採用してもよい。
【００１７】
本考案のティッシュボックス装丁具１は以上のように構成されていることから、これにティッシュボックスＴＢを配置する場合は、図５に示すように、一方の可撓性ウイング片３ａ／３ｂを押し上げ、ティッシュボックスＴＢの一方の下端の偶角部を同図矢印に示すように押し込む。その後、他方の可撓性ウイング片３ｂ／３ａを押し上げ、ティッシュボックスＴＢの他方の下端の偶角部を同図の矢印に示すように押し込む。
【００１８】
このようにして、ティッシュボックスＴＢを図２に仮想線で示すように配置した後、ティッシュボックスＴＢからティッシュペーパーＴＰを摘み出す。そして、ティッシュボックスＴＢの縦方向の両側のシート材２の残余の部分を立ち上げ、図６に示すようにティッシュペーパーＴＰの先端部をシート材２の短辺２ｃ，２ｄの両側端部で挟み、係止具４ａ、４ｂ、４ｃ、４ｄで前記短辺同志２ｃ，２ｄを固定する。なお、ティッシュボックスＴＢの縦方向の下端の偶角部に対応するシート材２の位置に、図４に破線で示すように折曲案内溝２ｅ，２ｆを形成しておくことにより、ティッシュボックスＴＢの位置決め、およびシート材２の立ち上げが容易となる。
【００１９】
以上のようにして本考案のティッシュボックス装丁具１をティッシュボックスＴＢに装着すると、図７に示すようにシート材２の短辺２ｃ，２ｄの両側端部で、ティッシュペーパーＴＰを引き抜くに必要な間隙を保った取出スリーブＳＶが形成され、連続してティッシュペーパーＴＰの取り出しが可能となる。
【００２０】
このようにしてティッシュボックスＴＢに装丁されたティッシュボックス装丁具１は、図８に示すようにシート材２のティッシュボックスＴＢの側面に位置する部分が外方へ突出する湾曲面を呈して対向する状態になることから、全体が円筒状に近似する形態となり、ティッシュボックスＴＢの角形のイメージが完全に払拭されることになる。
【００２１】
図９は本考案のティッシュボックス装丁具１の未使用時における収容状態を示すもので、同図に示すように展開したシート材２の端部を係止具４ａ、４ｂ、４ｃ、４ｄで連結して一体化することができる。これにより容積がきわめて小さくなり、保管、輸送などに有利となる。また、上述したようにシート材２に形成した折曲案内溝２ｅ，２ｆで折曲して図１０に示すように折り畳むことができることから、商品展示する場合などにおいてコンパクトな包装が可能となる。
【００２２】
なお、可撓性ウイング片３ａ，３ｂを、例えば図１１に示す自動車の造形、あるいは図１２に示す建築物を示す造形にして意匠効果を付与したり、シート材２の湾曲面に宣伝広告文を印刷するなどの商業的活用、あるいはカレンダーの印刷により機能性の向上などが可能となり、応用の範囲は多岐に亘るものとなる。
【００２３】
図１３は、本考案の更に他の例を示す斜視図であり、シート材２の底部に相当する両端部に、同図に示すように延長舌片２ｇ、２ｈを形成し、更にこの延長舌片２ｇ、２ｈの先端に可撓性ウイング３ａ、３ｂを一体に形成する。前記シート材２の本体と延長舌片２ｇ，２ｈとの間には、同図の展開部に示すように折曲案内溝２ｉと、延長舌片２ｇ，２ｈとの間に折曲案内溝２ｊを形成する。更に、前記シート材２の両端部には、接着絶縁テープ６を剥離可能に備えた両面テープ５を貼着する。なお、この両面テープ５は、前記延長舌片２ｇ、２ｈに貼着するようにしてもよい。
【００２４】
以上のように構成したティッシュボックス装丁具１を組み立てる場合は、両面テープ５から接着絶縁テープ６を剥離し、その剥離面に延長舌片２ｇ，２ｈを接着して図１３に示す可撓性ウイング３ｂのようにシート材２上に起立させて固定する。このように構成することにより、シート材２の外形成形のみで可撓性ウイング３ａ，３ｂも同時に成形することができることから、量産性に優れたものとなる。
【００２５】
ところで、一般的なティッシュボックスは、横長で方形状のものが多く流通しているが、ティッシュペーパーの収容量に応じたティッシュボックスの縦方向のサイズを大略、大型、中型、小型に分類することができる。上記実施例によるティッシュボックス装丁具１は、大型サイズのティッシュボックスに対応できるように構成したものであるが、かかる構成による場合においても小型のティッシュボックスの装丁に対応できるようにし、使い勝手を損なわないようにすることが望ましい。
【００２６】
そこで本考案では、図１４に示すように、収容するティッシュボックスＴＢの底部に対応する部分に、外形を切り抜き造形した支脚片２ｇを備えるようにした。この支脚片２ｇを図１５に示すように、折曲案内溝２ｈで折り曲げて立ち上げ、更に折曲案内溝２ｉで前半部を折り曲げて反転し、その前半部の中央の舌片２ｊをスリット２ｋに差し込み、更に前記前半部の端部を、舌片２ｌを立ち上げて固定する。
【００２７】
これにより、図１５に示すように、支脚片２ｇが立ち上がって固定された状態となることから、小型、中型サイズのティッシュボックスＴＢの底上げが可能となり、大型サイズのティッシュボックスＴＢと同様の使い勝手が得られるティッシュボックス装丁具となるようにすることができる。
【符号の説明】
【００２８】
１・・・・・・・ティッシュボックス装丁具
２・・・・・・・シート材
３ａ・３ｂ・・・可撓性ウイング片
４ａ〜４ｄ・・・係止具
ＴＢ・・・・・・ティッシュボックス
ＴＰ・・・・・・ティッシュペーパー
ＳＶ・・・・・・取出スリーブ
【図１】
0003172058.tif 000003
【図２】
0003172058.tif 000004
【図３】
0003172058.tif 000005
【図４】
0003172058.tif 000006
【図５】
0003172058.tif 000007
【図６】
0003172058.tif 000008
【図７】
0003172058.tif 000009
【図８】
0003172058.tif 000010
【図９】
0003172058.tif 000011
【図１０】
0003172058.tif 000012
【図１１】
0003172058.tif 000013
【図１２】
0003172058.tif 000014
【図１３】
0003172058.tif 000015
【図１４】
0003172058.tif 000016
【図１５】
0003172058.tif 000017